(57)【要約】【課題】顧客を有効に呼び込む。【解決手段】店舗内に配置される複数のテーブルにそれぞれ対応する枠を店舗端末２の画面上に表示する枠表示部と、画面上に表示された枠から一つの枠が選択された場合に、選択された枠に対応付けて空席有無情報ＤＢ５ｂに記憶されている空席有無情報を、空席ではないことを示す内容に変更する空席有無変更部と、空席有無情報に基づいて、空席状況情報ＤＢ５ｃに記憶されている店舗内のテーブルにどの程度の空きが存在するのかを示す空席状況情報を更新する空席状況更新部と、空席状況情報をユーザ端末３に提供する空席状況提供部と、を備える。【選択図】図１
2015095178.tif 000002
【特許請求の範囲】
【請求項１】
店舗内に配置される複数のテーブルにそれぞれ対応する枠を画面上に表示する枠表示部と、
前記枠表示部により表示された前記枠から一つの前記枠が選択された場合に、当該選択された前記枠に対応付けて記憶されている前記テーブルが空席であるかどうかを示す空席有無情報を、空席ではないことを示す内容に変更する空席有無変更部と、
前記空席有無情報に基づいて、前記店舗内にどの程度の空席が存在するのかを示す空席状況情報を更新する空席状況更新部と、
前記空席状況情報を提供する空席状況提供部と、
を備えることを特徴とする空席管理システム。
【請求項２】
前記枠表示部により表示された前記枠から一つの前記枠が選択され、当該選択された前記枠に対応する伝票情報が入力された場合に、当該入力された前記伝票情報に基づいて前記選択された前記枠内に、前記テーブルに着席してからの経過時間、前記テーブルを使用する人数および前記テーブルで注文した商品の総額を含む枠情報を表示する枠情報表示部をさらに備えることを特徴とする請求項１記載の空席管理システム。
【請求項３】
前記枠表示部は、前記画面上に表示した前記枠のうち複数の前記枠がまとめて選択され、当該選択された複数の前記枠の一部が接触または重ね合わされた場合に、当該選択された複数の前記枠を一つの前記枠に変更して前記画面上に表示し、
前記枠情報表示部は、前記枠表示部により複数の前記枠から変更された一つの前記枠内に、当該複数の前記枠に対応する、前記経過時間のうちの最長の時間、前記人数の合算値および前記総額の合算値を、それぞれ前記経過時間、前記人数および前記総額として表示する、
ことを特徴とする請求項２記載の空席管理システム。
【請求項４】
少なくとも予約時間および予約人数を含む予約情報を記憶する予約情報記憶部をさらに備え、
前記枠情報表示部は、前記予約情報記憶部により記憶された前記予約情報から一つの前記予約情報が選択され、前記枠表示部により表示された前記枠から一つの前記枠が選択された場合に、前記選択された一つの前記予約情報に基づいて、前記選択された一つの前記枠内に前記枠情報を表示し、
前記空席有無変更部は、前記予約情報とともに前記選択された一つの前記枠に対応付けて記憶されている前記空席有無情報を、空席ではないことを示す内容に変更する、
ことを特徴とする請求項２または３記載の空席管理システム。
【請求項５】
前記枠表示部は、前記画面上に表示した前記枠から一つの前記枠が選択され、異なる方向への移動指示が入力された場合に、当該選択された一つの前記枠を二つの前記枠に変更して前記画面上に表示する、ことを特徴とする請求項１〜４のいずれか１項に記載の空席管理システム。
【請求項６】
前記枠表示部は、前記画面上に表示した前記枠が選択されたまま前記画面上で移動させられた場合に、当該選択された前記枠の表示位置を、当該選択が解除されたときの位置に変更する、ことを特徴とする請求項１〜５のいずれか１項に記載の空席管理システム。
【請求項７】
前記空席状況提供部は、前記画面上に設けられた空席通知ボタンの操作状態に応じて、前記空席状況情報を提供するか否かを決定する、ことを特徴とする請求項１〜６のいずれか１項に記載の空席管理システム。
【請求項８】
空席を管理する空席管理方法であって、
店舗内に配置される複数のテーブルにそれぞれ対応する枠を画面上に表示する枠表示ステップと、
前記枠表示ステップにおいて表示された前記枠から一つの前記枠が選択された場合に、当該選択された前記枠に対応付けて記憶されている前記テーブルが空席であるかどうかを示す空席有無情報を、空席ではないことを示す内容に変更する空席有無変更ステップと、
前記空席有無情報に基づいて、前記店舗内にどの程度の空席が存在するのかを示す空席状況情報を更新する空席状況更新ステップと、
前記空席状況情報を提供する空席状況提供ステップと、
を含むことを特徴とする空席管理方法。
【請求項９】
前記枠表示ステップにおいて表示された前記枠から一つの前記枠が選択され、当該選択された前記枠に対応する伝票情報が入力された場合に、当該入力された前記伝票情報に基づいて前記選択された前記枠内に、前記テーブルに着席してからの経過時間、前記テーブルを使用する人数および前記テーブルで注文した商品の総額を含む枠情報を表示する枠情報表示ステップをさらに含むことを特徴とする請求項８記載の空席管理方法。
【請求項１０】
前記枠表示ステップは、前記画面上に表示した前記枠のうち複数の前記枠がまとめて選択され、当該選択された複数の前記枠の一部が接触または重ね合わされた場合に、当該選択された複数の前記枠を一つの前記枠に変更して前記画面上に表示し、
前記枠情報表示ステップは、前記枠表示ステップにおいて複数の前記枠から変更された一つの前記枠内に、当該複数の前記枠に対応する、前記経過時間のうちの最長の時間、前記人数の合算値および前記総額の合算値を、それぞれ前記経過時間、前記人数および前記総額として表示する、
ことを特徴とする請求項９記載の空席管理方法。
【請求項１１】
少なくとも予約時間および予約人数を含む予約情報を記憶する予約情報記憶ステップをさらに含み、
前記枠情報表示ステップは、前記予約情報記憶ステップにおいて記憶された前記予約情報から一つの前記予約情報が選択され、前記枠表示ステップにおいて表示された前記枠から一つの前記枠が選択された場合に、前記選択された一つの前記予約情報に基づいて、前記選択された一つの前記枠内に前記枠情報を表示し、
前記空席有無変更ステップは、前記予約情報とともに前記選択された一つの前記枠に対応付けて記憶されている前記空席有無情報を、空席ではないことを示す内容に変更する、
ことを特徴とする請求項９または１０記載の空席管理方法。
【請求項１２】
前記枠表示ステップは、前記画面上に表示した前記枠から一つの前記枠が選択され、異なる方向への移動指示が入力された場合に、当該選択された一つの前記枠を二つの前記枠に変更して前記画面上に表示する、ことを特徴とする請求項８〜１１のいずれか１項に記載の空席管理方法。
【請求項１３】
前記枠表示ステップは、前記画面上に表示した前記枠が選択されたまま前記画面上で移動させられた場合に、当該選択された前記枠の表示位置を、当該選択が解除されたときの位置に変更する、ことを特徴とする請求項８〜１２のいずれか１項に記載の空席管理方法。
【請求項１４】
前記空席状況提供ステップは、前記画面上に設けられた空席通知ボタンの操作状態に応じて、前記空席状況情報を提供するか否かを決定する、ことを特徴とする請求項８〜１３のいずれか１項に記載の空席管理方法。
【発明の詳細な説明】
【技術分野】
【０００１】
本発明は、空席管理システムおよび空席管理方法に関する。
【背景技術】
【０００２】
下記特許文献１には、複数の美容師を配備する美容室で予約スケジュールを管理する方法が開示されている。この方法では、予約を受け付けるたびに、美容師の予約プレートをスケジュール表の時系列の枠内に挿入していくことで、各美容師のスケジュールを管理し、スケジュール表の枠のうち予約が入っていない枠を、美容師の空き時間とみなしている。
【先行技術文献】
【特許文献】
【０００３】
【特許文献１】特開２００７−１５６８３１号公報
【発明の概要】
【発明が解決しようとする課題】
【０００４】
特許文献１に記載の方法では、上記スケジュール表を、美容師が閲覧するために管理しているものの、顧客には提供していない。しかしながら、美容師の空き時間を顧客に提供することができれば、顧客を有効に呼び込むことが可能となる。そして、このような効果は、飲食店等の接客を行う店舗において、テーブルの空き状況を顧客に提供する場合にも同様に得られるはずである。
【０００５】
本発明は、上述した課題を解決するためになされたものであり、顧客を有効に呼び込むことができる空席管理システムおよび空席管理方法を提供することを目的の一つとする。
【課題を解決するための手段】
【０００６】
本発明の一態様である空席管理システムは、店舗内に配置される複数のテーブルにそれぞれ対応する枠を画面上に表示する枠表示部と、前記枠表示部により表示された前記枠から一つの前記枠が選択された場合に、当該選択された前記枠に対応付けて記憶されている前記テーブルが空席であるかどうかを示す空席有無情報を、空席ではないことを示す内容に変更する空席有無変更部と、前記空席有無情報に基づいて、前記店舗内にどの程度の空席が存在するのかを示す空席状況情報を更新する空席状況更新部と、前記空席状況情報を提供する空席状況提供部と、を備える。
【０００７】
前記枠表示部により表示された前記枠から一つの前記枠が選択され、当該選択された前記枠に対応する伝票情報が入力された場合に、当該入力された前記伝票情報に基づいて前記選択された前記枠内に、前記テーブルに着席してからの経過時間、前記テーブルを使用する人数および前記テーブルで注文した商品の総額を含む枠情報を表示する枠情報表示部をさらに備えることとしてもよい。
【０００８】
前記枠表示部は、前記画面上に表示した前記枠のうち複数の前記枠がまとめて選択され、当該選択された複数の前記枠の一部が接触または重ね合わされた場合に、当該選択された複数の前記枠を一つの前記枠に変更して前記画面上に表示し、前記枠情報表示部は、前記枠表示部により複数の前記枠から変更された一つの前記枠内に、当該複数の前記枠に対応する、前記経過時間のうちの最長の時間、前記人数の合算値および前記総額の合算値を、それぞれ前記経過時間、前記人数および前記総額として表示する、こととしてもよい。
【０００９】
少なくとも予約時間および予約人数を含む予約情報を記憶する予約情報記憶部をさらに備え、前記枠情報表示部は、前記予約情報記憶部により記憶された前記予約情報から一つの前記予約情報が選択され、前記枠表示部により表示された前記枠から一つの前記枠が選択された場合に、前記選択された一つの前記予約情報に基づいて、前記選択された一つの前記枠内に前記枠情報を表示し、前記空席有無変更部は、前記予約情報とともに前記選択された一つの前記枠に対応付けて記憶されている前記空席有無情報を、空席ではないことを示す内容に変更する、こととしてもよい。
【００１０】
本発明の一態様である空席管理方法は、空席を管理する空席管理方法であって、店舗内に配置される複数のテーブルにそれぞれ対応する枠を画面上に表示する枠表示ステップと、前記枠表示ステップにおいて表示された前記枠から一つの前記枠が選択された場合に、当該選択された前記枠に対応付けて記憶されている前記テーブルが空席であるかどうかを示す空席有無情報を、空席ではないことを示す内容に変更する空席有無変更ステップと、前記空席有無情報に基づいて、前記店舗内にどの程度の空席が存在するのかを示す空席状況情報を更新する空席状況更新ステップと、前記空席状況情報を提供する空席状況提供ステップと、を含むことを特徴とする空席管理方法。
【００１１】
前記枠表示ステップにおいて表示された前記枠から一つの前記枠が選択され、当該選択された前記枠に対応する伝票情報が入力された場合に、当該入力された前記伝票情報に基づいて前記選択された前記枠内に、前記テーブルに着席してからの経過時間、前記テーブルを使用する人数および前記テーブルで注文した商品の総額を含む枠情報を表示する枠情報表示ステップをさらに含むこととしてもよい。
【００１２】
前記枠表示ステップは、前記画面上に表示した前記枠のうち複数の前記枠がまとめて選択され、当該選択された複数の前記枠の一部が接触または重ね合わされた場合に、当該選択された複数の前記枠を一つの前記枠に変更して前記画面上に表示し、前記枠情報表示ステップは、前記枠表示ステップにおいて複数の前記枠から変更された一つの前記枠内に、当該複数の前記枠に対応する、前記経過時間のうちの最長の時間、前記人数の合算値および前記総額の合算値を、それぞれ前記経過時間、前記人数および前記総額として表示する、こととしてもよい。
【００１３】
少なくとも予約時間および予約人数を含む予約情報を記憶する予約情報記憶ステップをさらに含み、前記枠情報表示ステップは、前記予約情報記憶ステップにおいて記憶された前記予約情報から一つの前記予約情報が選択され、前記枠表示ステップにおいて表示された前記枠から一つの前記枠が選択された場合に、前記選択された一つの前記予約情報に基づいて、前記選択された一つの前記枠内に前記枠情報を表示し、前記空席有無変更ステップは、前記予約情報とともに前記選択された一つの前記枠に対応付けて記憶されている前記空席有無情報を、空席ではないことを示す内容に変更する、こととしてもよい。
【発明の効果】
【００１４】
本発明によれば、顧客を有効に呼び込むことができる。
【図面の簡単な説明】
【００１５】
【図１】実施形態における空席管理システムの構成を例示する図である。
【図２】図１に示す店舗端末の機能構成を例示する図である。
【図３】店舗端末の画面上に表示されるテーブル枠を例示する図である。
【図４】二つのテーブル枠を一つにまとめる際の表示例を示す図である。
【図５】予約情報をテーブル枠に反映させる際の表示例を示す図である。
【図６】図１に示す空席管理サーバの機能構成を例示する図である。
【図７】顧客が店舗内のテーブルに着席してから店舗を退出するまでの間における空席管理システムの動作を説明するためのシーケンスチャートである。
【図８】空席管理サーバが空席状況情報をユーザ端末に提供する際の動作を説明するためのフローチャートである。
【図９】変形例における店舗端末の表示画面を例示する図である。
【発明を実施するための形態】
【００１６】
以下、添付図面を参照して、本発明に係る空席管理システムおよび空席管理方法の好適な実施形態について説明する。なお、以下に説明する実施形態は、あくまでも例示であり、実施形態に明示しない種々の変形や技術の適用を排除するものではない。すなわち、本発明は、その趣旨を逸脱しない範囲で種々変形して実施することができる。
【００１７】
まず、図１を参照して、実施形態における空席管理システムの構成について説明する。空席管理システム１００は、例えば、空席管理サーバ１と店舗端末２とを備える。
【００１８】
空席管理システム１００は、接客を行う店舗内に配置されるテーブルの空席状況を管理してユーザ端末３に提供するシステムである。接客を行う店舗としては、例えば、飲食店が該当する。以下に、空席管理システム１００を構成する装置等について詳細に説明する。
【００１９】
店舗端末２は、接客を行う店舗が保有する端末であり、例えば、タブレット型端末等のコンピュータ装置を用いることができる。
【００２０】
ユーザ端末３は、店舗の顧客となるユーザが操作する端末である。ユーザ端末３は、例えば、スマートフォンや携帯電話機、携帯情報端末等のモバイル端末であってもよいし、ＰＣ（personal computer）端末等のコンピュータ装置であってもよい。
【００２１】
空席管理サーバ１は、各店舗の空席状況や予約状況等を管理し、各店舗の空席状況をユーザ端末３に提供するサーバ装置である。空席管理サーバ１は、例示的に、テーブル情報（枠情報）ＤＢ（data base）５ａと、空席有無情報ＤＢ５ｂと、空席状況情報ＤＢ５ｃと、予約情報ＤＢ５ｄとを備える。
【００２２】
テーブル情報ＤＢ５ａは、店舗内に配置されるテーブルごとの情報をテーブル情報として記憶する。テーブル情報は、データ項目として、例えば、店舗ＩＤ項目、テーブルＩＤ項目、経過時間項目、人数項目および注文商品の総額項目を含む。店舗ＩＤ項目は、店舗を特定する識別情報を格納する。テーブルＩＤ項目は、テーブルを特定する識別情報を格納する。経過時間項目は、テーブルに着席してからの経過時間を格納する。この経過時間は、顧客がテーブルに着席したときの時間と現在時刻とを用いて算出することができ、会計時に確定する。人数項目は、テーブルを使用する人数を格納する。注文商品の総額項目は、テーブルで注文した各商品の料金や税金等を合計した値を格納する。
【００２３】
空席有無情報ＤＢ５ｂは、各テーブルの空席の有無を空席有無情報として記憶する。空席有無情報は、データ項目として、例えば、店舗ＩＤ項目、テーブルＩＤ項目および空席有無項目を含む。店舗ＩＤ項目は、店舗を特定する識別情報を格納する。テーブルＩＤ項目は、テーブルを特定する識別情報を格納する。空席有無項目は、テーブルが空席であるかどうかを示す情報を格納する。空席であるかどうかを示す情報として、例えば、空席であることを示す“空有”や、空席ではないことを示す“空無”を用いることができる。
【００２４】
空席状況情報ＤＢ５ｃは、店舗内の空席状況を空席状況情報として記憶する。空席状況情報は、データ項目として、例えば、店舗ＩＤ項目、テーブルＩＤ項目および空席状況項目を含む。店舗ＩＤ項目は、店舗を特定する識別情報を格納する。テーブルＩＤ項目は、テーブルを特定する識別情報を格納する。空席状況項目は、店舗内のテーブルにどの程度の空きが存在するのかを示す空席状況情報を格納する。空席状況情報としては、例えば、“空席有”、“混雑”、“空席無”等を示す情報が該当する。
【００２５】
予約情報ＤＢ５ｄは、予約に関する情報を予約情報として記憶する。予約情報は、データ項目として、例えば、店舗ＩＤ項目、予約者名項目、予約時間項目および予約人数項目を含む。店舗ＩＤ項目は、店舗を特定する識別情報を格納する。予約者名項目は、予約した顧客の名前を格納する。予約時間項目は、予約した開始時間を格納する。予約人数項目は、予約した人数を格納する。
【００２６】
図２を参照して、実施形態における店舗端末２の機能構成について説明する。店舗端末２は、例えば、枠表示部２１と、枠情報表示部２２と、テーブルＩＤ送信部２３と、を有する。
【００２７】
枠表示部２１は、店舗内に配置される複数のテーブルにそれぞれ対応させた枠（以下、「テーブル枠」という。）を画面上に表示する。
【００２８】
図３に、店舗端末２の画面上に表示されるテーブル枠を例示する。図３に示すタッチパネル式画面２ａ上には、店舗内に配置されている９つのテーブルに対応する９つのテーブル枠ＴＡ〜ＴＩが表示されている。各テーブル枠ＴＡ〜ＴＩには、基準となる表示座標を設定することができる。各テーブル枠ＴＡ〜ＴＩの基準となる表示座標を、店舗内のテーブルの配置状態を基準にして設定することで、各テーブル枠ＴＡ〜ＴＩを、店舗内のテーブルの配置状態と同様の配置状態にしてタッチパネル式画面２ａ上に表示することが可能となる。
【００２９】
店舗内のテーブルは、配置状態を基準位置から随時自由に変更できるため、テーブル枠ＴＡ〜ＴＩの表示位置も任意に変更可能とする。テーブル枠ＴＡ〜ＴＩの表示位置を変更する際には、例えば、変更対象となるテーブル枠を指またはタッチペンで選択し、選択したまま移動させたい位置まで移動させ、指またはタッチペンを離して選択を解除する。これにより、選択したテーブル枠の表示位置が、移動後の表示位置に変わる。
【００３０】
図２に示す枠表示部２１は、画面上に表示したテーブル枠が選択されたまま画面上で移動させられた場合に、選択された枠の表示位置を、選択が解除されたときの位置に変更する。
【００３１】
また、店舗内のテーブルは、顧客の人数等に応じて、まとめることや、まとめたテーブルをばらすことがあるため、テーブル枠ＴＡ〜ＴＩもまとめることや、ばらすことを可能とする。テーブル枠ＴＡ〜ＴＩをまとめる際には、例えば、まとめたい複数のテーブル枠を指またはタッチペンで選択し、選択したまま一部を接触または重ね合わせてから指またはタッチペンを離して選択を解除する。これにより、選択した複数のテーブル枠が一つのテーブル枠に変更される。
【００３２】
図２に示す枠表示部２１は、画面上に表示したテーブル枠のうち複数のテーブル枠がまとめて選択され、選択された複数のテーブル枠の一部が接触または重ね合わされた場合に、選択された複数のテーブル枠を一つの枠に変更して画面上に表示する。
【００３３】
まとめたテーブル枠ＴＡ〜ＴＩをばらす際には、例えば、ばらしたいテーブル枠を二本の指またはタッチペンで選択し、選択したまま異なる方向に二本の指またはタッチペンをそれぞれ移動させて選択を解除する。これにより、選択したテーブル枠が二つのテーブル枠に変わる。
【００３４】
図２に示す枠表示部２１は、画面上に表示したテーブル枠から一つのテーブル枠が選択され、かつ、この選択されたテーブル枠に対して異なる方向への移動指示が入力された場合に、選択された一つのテーブル枠を二つのテーブル枠に変更して画面上に表示する。
【００３５】
図２に示す枠情報表示部２２は、画面上に表示されたテーブル枠の中に、そのテーブル枠に対応するテーブルのテーブル情報を表示する。テーブル枠内に表示するテーブル情報としては、例えば、テーブル名、テーブルに着席してからの経過時間、テーブルを使用する人数およびテーブルで注文した商品の総額が該当する。図３に示すテーブル枠ＴＡには、テーブル名として、“テーブルＡ”が表示され、経過時間として、“１：３５”が表示され、人数として、“２名”が表示され、注文した商品の総額として、“￥８，９７０”が表示されている。図３に示す４つのテーブル枠ＴＣ，ＴＥ，ＴＧおよびＴＨには、それぞれテーブル名のみが表示されているが、このような表示状態は、そのテーブルが空席であることを示す。なお、テーブル名はテーブルＩＤと対応付けて管理されている。
【００３６】
図２に示す枠情報表示部２２は、あるテーブルの伝票情報が入力された場合に、そのテーブルに対応するテーブル枠内に、入力された伝票情報に基づいて上記テーブル情報を表示し、入力された伝票情報を空席管理サーバ１に送信する。
【００３７】
伝票情報は、データ項目として、例えば、店舗ＩＤ項目、テーブルＩＤ項目、着席時間項目、人数項目、注文商品項目および料金項目を含む。店舗ＩＤ項目は、店舗を特定する識別情報を格納する。テーブルＩＤ項目は、テーブルを特定する識別情報を格納する。着席時間項目は、テーブルに着席したときの時間を格納する。人数項目は、テーブルを使用する人数を格納する。注文商品項目は、注文した商品を特定する識別情報を格納する。料金項目は、注文した商品の料金を格納する。
【００３８】
伝票情報は、店舗端末２の画面上から入力する。伝票情報を入力する際の手順の一例を、以下に説明する。最初に、伝票入力を開始する旨の指示を入力し、画面上に表示されたテーブル枠から一つのテーブル枠を選択すると、画面上にポップアップ画面が表示される。続いて、ポップアップ画面から、テーブルを利用する人数を入力する。続いて、ポップアップ画面から、注文された商品および数量を入力する。最後に、伝票入力を終了する旨の指示を入力する。
【００３９】
図２に示す枠情報表示部２２は、枠表示部２１により複数のテーブル枠が一つにまとめられた場合に、変更後の一つのテーブル枠内に、複数のテーブル枠に対応する、経過時間のうちの最長の時間、人数の合算値および総額の合算値を、それぞれ経過時間、人数および総額として表示する。図４を参照して、具体的に説明する。
【００４０】
図４に示すように、２つのテーブル枠ＴＡおよびＴＢが、一つのテーブル枠ＴＡＢにまとめられた場合、テーブル枠ＴＡＢ内の経過時間には、テーブル枠ＴＡの経過時間である“１：３５”とテーブル枠ＴＢの経過時間である“３：２４”のうち、長い方の“３：２４”が表示される。テーブル枠ＴＡＢ内の人数には、テーブル枠ＴＡの人数である“２名”とテーブル枠ＴＢの人数である“４名”との合算値である“６名”が表示される。テーブル枠ＴＡＢ内の総額には、テーブル枠ＴＡの総額である“￥８，９７０”とテーブル枠ＴＢの総額である“￥１５，８８０”との合算値である“￥２４，８５０”が表示される。
【００４１】
図２に示す枠情報表示部２２は、予約情報ＤＢ５ｄに記憶された予約情報から一つの予約情報が選択され、枠表示部２１により表示された空席状態のテーブル枠の中から、一つのテーブル枠が選択された場合に、選択された一つの予約情報に基づいて、選択された一つのテーブル枠内にテーブル情報を表示する。図５を参照して、具体的に説明する。
【００４２】
図５に示すように、最上段にある予約情報が選択され、空席状態のテーブル枠ＴＣが選択された場合に、選択された予約情報に含まれる予約時間である“１８：００”を、テーブル枠ＴＣに表示する経過時間を算出する際の開始時間に設定し、テーブル枠ＴＣの経過時間欄に、“１８：００”からの経過時間を表示する。また、選択された予約情報に含まれる人数である“４名”を、テーブル枠ＴＣの人数欄に表示する。
【００４３】
図２に示すテーブルＩＤ送信部２３は、枠表示部２１により表示された空席状態のテーブル枠の中から、一つのテーブル枠が選択された場合に、選択されたテーブル枠に対応するテーブルＩＤを空席管理サーバ１に送信する。
【００４４】
テーブルＩＤ送信部２３は、会計処理が開始され、レジ端末（不図示）にレシート発行依頼が送信された場合に、処理対象のテーブル枠に対応するテーブルＩＤを空席管理サーバ１に送信する。会計処理やレシートの発行依頼は、例えば、店舗端末２の画面上に表示された処理開始ボタンを選択することで開始させることができる。なお、テーブルＩＤを空席管理サーバ１に送信するタイミングは、レシート発行依頼が送信された時点には限定されず、例えば、会計処理が終了した時点であってもよい。
【００４５】
図６を参照して、実施形態における空席管理サーバ１の機能構成について説明する。空席管理サーバ１は、例えば、空席有無変更部１１と、空席状況更新部１２と、空席状況提供部１３と、を有する。
【００４６】
空席有無変更部１１は、空席状態のテーブル枠に対応するテーブルＩＤを店舗端末２から受信した場合に、受信したテーブルＩＤに対応付けて空席有無情報ＤＢ５ｂに記憶されている空席有無情報を、空席ではないことを示す“空無”に変更する。
【００４７】
空席有無変更部１１は、着席状態のテーブル枠に対応するテーブルＩＤを店舗端末２から受信した場合に、受信したテーブルＩＤに対応付けて空席有無情報ＤＢ５ｂに記憶されている空席有無情報を、空席であることを示す“空有”に変更する。
【００４８】
空席状況更新部１２は、店舗端末２により随時更新される空席有無情報ＤＢ５ｂの空席有無情報に基づいて、空席状況情報ＤＢ５ｃの空席状況情報を更新する。以下に、具体的に説明する。
【００４９】
空席状況更新部１２は、空席有無情報に基づいて、店舗内にあるテーブルのうち、空席となっているテーブルの数を算出する。空席状況更新部１２は、算出した空席のテーブル数に応じて、空席状況を決定する。例えば、空席のテーブル数が３テーブル以上である場合には、空席状況を“空席有”とする。空席のテーブル数が２テーブル以下である場合には、空席状況を“混雑”とする。空席のテーブル数が０である場合には、空席状況を“空席無”とする。
【００５０】
空席状況提供部１３は、空席状況を示す空席状況情報をユーザ端末３に提供する。提供方法としては、例えば、ユーザ端末３にインストールされているアプリケーションで指定されている特定のアクセス先に表示することや、ユーザ端末３に送信する電子メールに組み込み表示することが該当する。
【００５１】
次に、図７を参照して、顧客が店舗内のテーブルに着席してから店舗を退出するまでの間における空席管理システムの動作について説明する。
【００５２】
最初に、店員が、店舗内の空いているテーブルに顧客を案内し、店舗端末２の画面上に表示されているテーブル枠の中から、顧客を案内したテーブルに対応するテーブル枠を選択する（ステップＳ１０１）。これにより、店舗端末２のテーブルＩＤ送信部２３は、選択されたテーブル枠に対応するテーブルＩＤを空席管理サーバ１に送信する（ステップＳ１０２）。
【００５３】
続いて、空席管理サーバ１の空席有無変更部１１は、受信したテーブルＩＤに対応付けて空席有無情報ＤＢ５ｂに記憶されている空席有無情報を、“空無”に変更する（ステップＳ１０３）。
【００５４】
続いて、店員が店舗端末２から伝票情報を入力する（ステップＳ１０４）。これにより、店舗端末２は、入力された伝票情報を空席管理サーバ１に送信する（ステップＳ１０５）。
【００５５】
続いて、空席管理サーバ１は、受信した伝票情報に基づいてテーブル情報ＤＢ５ａに記憶されているテーブル情報を更新する（ステップＳ１０６）。
【００５６】
一方、店舗端末２の枠情報表示部２２は、上記ステップＳ１０４で入力された伝票情報に基づいて、その伝票情報に対応するテーブル枠内に、テーブル情報を表示する（ステップＳ１０７）。
【００５７】
続いて、店舗端末２において会計処理が開始され、レジ端末にレシート発行依頼が送信される（ステップＳ１０８）と、店舗端末のテーブルＩＤ送信部２３は、処理対象のテーブル枠に対応するテーブルＩＤを空席管理サーバ１に送信する（ステップＳ１０９）。
【００５８】
続いて、空席管理サーバ１の空席有無変更部１１は、受信したテーブルＩＤに対応付けて空席有無情報ＤＢ５ｂに記憶されている空席有無情報を、“空有”に変更する（ステップＳ１１０）。
【００５９】
一方、店舗端末２の枠情報表示部２２は、上記ステップＳ１０８で処理対象となったテーブル枠内の表示をリセットする（ステップＳ１１１）。
【００６０】
次に、図８を参照して、空席管理サーバが空席状況情報をユーザ端末３に提供する際の動作について説明する。この動作は、空席管理システム１００が稼動している間、繰り返し行われる。
【００６１】
最初に、空席管理サーバ１の空席状況更新部１２は、空席有無情報ＤＢ５ｂに記憶されている空席有無情報に基づいて、空席状況を決定し、空席状況情報ＤＢ５ｃに記憶されている空席状況情報を更新する（ステップＳ２０１）。
【００６２】
続いて、空席管理サーバ１の空席状況提供部１３は、空席状況情報ＤＢ５ｃに記憶されている空席状況情報をユーザ端末３に提供する（ステップＳ２０１）。
【００６３】
上述したように、実施形態における空席管理システム１００によれば、店舗端末２が枠表示部２１を有することで、店舗内に配置される複数のテーブルにそれぞれ対応するテーブル枠を画面上に表示することができ、空席管理サーバ１が空席有無変更部１１を有することで、店舗端末２の画面上に表示された空席状態のテーブル枠の中から一つのテーブル枠が選択された場合に、この選択されたテーブル枠に対応付けて空席有無情報ＤＢ５ｂに記憶されている空席有無情報を“空無”に変更することができ、空席管理サーバ１が空席状況更新部１２を有することにより、空席有無情報ＤＢ５ｂに記憶されている空席有無情報に基づいて、空席状況情報ＤＢ５ｃに記憶されている空席状況情報を更新することができ、空席管理サーバ１が空席状況提供部１３を有することにより、空席状況情報ＤＢ５ｃに記憶されている空席状況情報をユーザ端末３に提供することができる。
【００６４】
これにより、店舗内のテーブルがどの程度空いているのかを示す空席状況情報をリアルタイムでユーザ端末３に提供することが可能となるため、顧客を有効に店舗に呼び込むことが可能となる。
【００６５】
また、実施形態における空席管理システム１００によれば、店舗端末２が枠情報表示部２２をさらに有することで、画面上に表示された空席状態のテーブル枠の中から一つのテーブル枠が選択され、この選択されたテーブル枠に対応する伝票情報が入力された場合に、入力された伝票情報に基づいて選択されたテーブル枠内に、テーブルに着席してからの経過時間、テーブルを使用する人数およびテーブルで注文した商品の総額を含むテーブル情報を表示することができる。
【００６６】
[変形例]
なお、上述した実施形態において、店舗端末２の画面上に各種のボタンを適宜設けることができる。例えば、図９に示すように、店舗端末２のタッチパネル式画面２ａ上に、空席通知ボタンＢＴを設けることとしてもよい。空席通知ボタンＢＴは、空席状況情報の提供を許可するかどうかを設定するためのボタンである。店舗端末２において空席通知ボタンＢＴの"ＯＮ／ＯＦＦ"が操作されると、店舗端末２は、その操作後の"ＯＮ／ＯＦＦ"状態を示すメッセージを、空席管理サーバ１に通知する。
【００６７】
空席管理サーバ１の空席状況提供部１３は、店舗端末２から通知されたメッセージにより更新される空席通知ボタンＢＴの状態が、"ＯＮ"状態である間は、空席状況情報をユーザ端末３に提供し、"ＯＦＦ"状態である間は、空席状況情報をユーザ端末３に提供しない。
【００６８】
また、例えば、店舗端末のタッチパネル式画面上に、満席通知ボタンを設けることとしてもよい。満席通知ボタンは、提供する空席状況情報の内容を強制的に満席状態に設定するためのボタンである。店舗端末２において満席通知ボタンの"ＯＮ／ＯＦＦ"が操作されると、店舗端末２は、その操作後の"ＯＮ／ＯＦＦ"状態を示すメッセージを、空席管理サーバ１に通知する。
【００６９】
空席管理サーバ１の空席状況提供部１３は、店舗端末２から通知されたメッセージにより更新される満席通知ボタンの状態が、"ＯＮ"状態である間は、空席状況情報ＤＢ５ｃの空席状況情報の内容にかかわらず、満席状態を示す空席状況情報をユーザ端末３に提供し、"ＯＦＦ"状態である間は、その時点における空席状況情報ＤＢ５ｃの空席状況情報をユーザ端末３に提供する。
【００７０】
上記空席状況情報の提供を停止することや、空席状況情報を強制的に満席状態に設定することは、店舗内に空席が存在していても、店舗側の判断で空席が有ることを知らせたくない場合等に、有効利用できる。このような状況として、例えば、店舗内に存在する空席が既に予約で埋まっている場合がある。このような場合に、空席が有ることを顧客に提供してしまうと、待ち時間がないことを期待して顧客が来店してしまうことになりかねない。したがって、空席通知ボタンや満席通知ボタンを設けることで、顧客の利便性を向上させることが可能となる。
【００７１】
また、上述した実施形態では、空席管理サーバ１が空席状況情報ＤＢ５ｃを備えているが、空席管理サーバ１は、必ずしも空席状況情報ＤＢを備える必要はない。空席状況情報ＤＢを備えない場合には、空席状況提供部１３が空席状況情報を提供する際に、空席状況更新部１２が、その時点の空席有無情報ＤＢ５ｂの空席有無情報に基づいて、空席となっているテーブルの数を算出し、空席テーブル数に応じて、空席状況を決定すればよい。
【００７２】
また、上述した実施形態における空席管理サーバ１は、伝票情報ＤＢを備えていないが、空席管理サーバ１が伝票情報ＤＢを備えることとしてもよい。この場合、空席管理サーバ１は、店舗端末２から受信する伝票情報に基づいて伝票情報ＤＢおよびテーブル情報ＤＢ５ａを更新すればよい。
【００７３】
また、上述した実施形態では、空席状況情報をユーザ端末３に提供しているが、空席状況情報の提供先はユーザ端末には限定されない。例えば、空席状況情報に対応する店舗以外の店舗端末に提供することとしてもよい。
【符号の説明】
【００７４】
１…空席管理サーバ
２…店舗端末
２ａ…タッチパネル式画面
３…ユーザ端末
５ａ…テーブル情報ＤＢ
５ｂ…空席有無情報ＤＢ
５ｃ…空席状況情報ＤＢ
５ｄ…予約情報ＤＢ
１１…空席有無変更部
１２…空席状況更新部
１３…空席状況提供部
２１…枠表示部
２２…枠情報表示部
２３…テーブルＩＤ送信部
１００…空席管理システム
【図１】
2015095178.tif 000003
【図２】
2015095178.tif 000004
【図３】
2015095178.tif 000005
【図６】
2015095178.tif 000006
【図７】
2015095178.tif 000007
【図８】
2015095178.tif 000008
【図９】
2015095178.tif 000009
【図４】
2015095178.tif 000010
【図５】
2015095178.tif 000011